(57)【要約】      （修正有）【課題】電動洗浄装置を備え、洗浄水タンクに洗浄水を供給する給水装置が配置される側と同じ側に、便器本体の洗浄を手動で行うための手動洗浄操作部を配置することができる便器洗浄装置を提供すること。【解決手段】洗浄水タンク３０の排水口３１３を開閉する開閉弁３１４と、洗浄水タンク３０の左右方向の一方側に配置され、洗浄水タンク３０に洗浄水を供給する給水装置６０と、洗浄水タンク３０の左右方向の他方側に配置され、駆動部１１１と、駆動部１１１に接続される他方側軸部材１１２と、を有し、便器本体の洗浄を電動で行う電動洗浄装置１１０と、洗浄水タンク３０の一方側に配置され、便器本体の洗浄を手動で操作する手動洗浄操作部８１を取り付け可能な一方側軸部材１２１と、一方側軸部材１２１と開閉弁３１４とを接続する一方側接続部材１２２と、他方側軸部材１１２と開閉弁３１４とを接続する他方側接続部材１１３，１１４と、を備える。【選択図】図２
2017014859.tif 000002
【特許請求の範囲】
【請求項１】
便器本体と、
前記便器本体の上方に配置される洗浄水タンクと、
前記洗浄水タンクの排水口を開閉する開閉弁と、
前記洗浄水タンクを正面から視た場合における前記洗浄水タンクの左右方向の一方側に配置され、前記洗浄水タンクに洗浄水を供給する給水装置と、
前記洗浄水タンクを正面から視た場合における前記洗浄水タンクの左右方向の他方側に配置され、駆動部と、前記駆動部に接続される他方側軸部材と、を有し、前記便器本体の洗浄を電動で行う電動洗浄装置と、
前記洗浄水タンクの前記一方側に配置され、前記便器本体の洗浄を手動で操作する手動洗浄操作部を取り付け可能な一方側軸部材と、
前記一方側軸部材と前記開閉弁とを接続する一方側接続部材と、
前記他方側軸部材と前記開閉弁とを接続する他方側接続部材と、を備える便器洗浄装置。
【請求項２】
前記一方側軸部材は、前記給水装置に取り付けられる請求項１に記載の便器洗浄装置。
【請求項３】
前記他方側軸部材には、前記便器本体の洗浄を手動で操作する手動洗浄操作部を取り付け可能である請求項１又は２に記載の便器洗浄装置。
【請求項４】
前記給水装置は、給水弁を有する筒状の給水弁装置と、基端側が前記給水弁装置に接続されるアーム部材と、前記アーム部材の先端側に係合するフロート部材と、を有し、
前記給水弁装置は、該給水弁装置の軸方向が垂直方向に対して傾斜して配置される請求項１から３のいずれかに記載の便器洗浄装置。
【発明の詳細な説明】
【技術分野】
【０００１】
本発明は、便器本体の洗浄を電動で行う電動洗浄装置を備える便器洗浄装置に関する。
【背景技術】
【０００２】
従来、便器本体の洗浄を電動で行う電動洗浄装置と、便器本体の洗浄を手動で行うための手動洗浄用の操作レバー（手動洗浄操作部）と、を備える便器洗浄装置が知られている（例えば、特許文献１参照）。特許文献１に記載の技術においては、電動洗浄装置が洗浄水タンクの内部の右側に配置される。また、手動洗浄用の操作レバーは、洗浄水タンクの右側に配置される。
このようにして、電動洗浄装置及び手動洗浄用の操作レバーを洗浄水タンクの右側に配置することで、洗浄水タンクの右側において、便器本体の洗浄を電動で行うこと及び手動で行うことの両方を可能としている。
【０００３】
ところで、洗浄水タンクの内部の左側に、洗浄水タンクに洗浄水を供給する給水装置が配置される技術がある（例えば、特許文献２等参照）。
【先行技術文献】
【特許文献】
【０００４】
【特許文献１】特開２００１−６５０２８号公報
【特許文献２】特開２０１３−２８９６５号公報
【発明の概要】
【発明が解決しようとする課題】
【０００５】
特許文献２に記載のように、洗浄水タンクの内部の左側に、給水装置が配置される場合において、給水装置が配置される側と同じ側、つまり、洗浄水タンクの左側に手動洗浄用の操作レバーを配置したいという要請がある。
しかしながら、洗浄水タンクの内部の左側には、給水装置が配置されるため、洗浄水タンクの内部の左側に、引用文献１に記載のような電動洗浄装置及び手動洗浄用の操作レバーの両方を配置するスペースを確保することが困難である。
【０００６】
本発明は、便器本体の洗浄を電動で行う電動洗浄装置を備え、洗浄水タンクに洗浄水を供給する給水装置が配置される側と同じ側に、便器本体の洗浄を手動で行うための手動洗浄操作部を配置することができる便器洗浄装置を提供することを目的とする。
【課題を解決するための手段】
【０００７】
本発明は、便器本体と、前記便器本体の上方に配置される洗浄水タンクと、前記洗浄水タンクの排水口を開閉する開閉弁と、前記洗浄水タンクを正面から視た場合における前記洗浄水タンクの左右方向の一方側に配置され、前記洗浄水タンクに洗浄水を供給する給水装置と、前記洗浄水タンクの他方側に配置され、駆動部と、前記駆動部に接続される他方側軸部材と、を有し、前記便器本体の洗浄を電動で行う電動洗浄装置と、前記洗浄水タンクを正面から視た場合における前記洗浄水タンクの左右方向の前記一方側に配置され、前記便器本体の洗浄を手動で操作する手動洗浄操作部を取り付け可能な一方側軸部材と、前記一方側軸部材と前記開閉弁とを接続する一方側接続部材と、前記他方側軸部材と前記開閉弁とを接続する他方側接続部材と、を備える便器洗浄装置に関する。
【０００８】
また、前記一方側軸部材は、前記給水装置に取り付けられることが好ましい。
【０００９】
また、前記他方側軸部材には、前記便器本体の洗浄を手動で操作する手動洗浄操作部を取り付け可能であることが好ましい。
【００１０】
また、前記給水装置は、給水弁を有する筒状の給水弁装置と、基端側が前記給水弁装置に接続されるアーム部材と、前記アーム部材の先端側に係合するフロート部材と、を有し、前記給水弁装置は、該給水弁装置の軸方向が垂直方向に対して傾斜して配置されることが好ましい。
【発明の効果】
【００１１】
本発明によれば、便器本体の洗浄を電動で行う電動洗浄装置を備え、洗浄水タンクに洗浄水を供給する給水装置が配置される側と同じ側に、便器本体の洗浄を手動で行うための手動洗浄操作部を配置することができる便器洗浄装置を提供することができる。
【図面の簡単な説明】
【００１２】
【図１】本発明の一実施形態に係る便器洗浄装置１００の斜視図である。
【図２】本発明の洗浄水タンク３０の内部の主な構成を示す断面図である。
【図３】開弁遅延機構部６４の構成を示す左右方向の断面図である。
【図４】開弁遅延機構部６４の構成を示す前後方向の断面図である。
【図５】本発明の洗浄水タンク３０の内部の主な構成を示す平面図である。
【図６】手動洗浄装置１２０の構成を示す平面図である。
【図７】節水タンク６５の洗浄水タンク３０への取付構造を示す斜視図である。
【図８】節水タンク６５の洗浄水タンク３０への取付構造を示す断面図である。
【図９】電動洗浄装置１１０及び手動洗浄装置１２０の取付構造を示す分解斜視図である。
【図１０】手動操作用の洗浄操作レバーハンドル８１を洗浄水タンク３０の左側に取り付けた場合を示す図である。
【発明を実施するための形態】
【００１３】
以下、本発明の便器洗浄装置１００の好ましい一実施形態について、図面を参照しながら説明する。
まず、本発明の一実施形態に係る便器洗浄装置１００の全体構成について、図１及び図２を参照しながら説明する。
【００１４】
本実施形態の便器洗浄装置１００は、図１及び図２に示すように、便器１０と、ベースプレート２０と、洗浄水タンク３０と、手洗い部４０と、タンクカバー５０と、電動洗浄装置１１０及び手動洗浄装置１２０含む洗浄動作機構と、給水装置６０と、オーバーフロー管９０と、を備える。
【００１５】
便器１０は、便器本体１１と、この便器本体１１の上部に便器本体１１に対して開閉可能に取り付けられる便座１２及び便蓋１３と、を含んで構成される。
【００１６】
ベースプレート２０は、便器本体１１の後方の上面に取り付けられる。ベースプレート２０の上方には、洗浄水タンク３０が配置される。
【００１７】
手洗い部４０は、洗浄水タンク３０の上方に配置される。手洗い部４０は、手洗いボウル部４１と、手洗い吐水管４２と、を備える。
【００１８】
手洗いボウル部４１は、タンクカバー５０における上部カバー部５１（後述）の一部により構成される。手洗いボウル部４１は、手洗い吐水管４２から吐出される手洗い水を受ける。この手洗いボウル部４１の底部には、排水口（図示せず）が形成されている。
【００１９】
手洗い吐水管４２は、手洗いボウル部４１の背部側の前面から前方に突出するように配置される。この手洗い吐水管４２の先端部は、下方に開口している。
【００２０】
以上の手洗い部４０には、洗浄水タンク３０に供給される洗浄水の一部が、手洗い側給水管（図示せず）を介して手洗い吐水管４２に供給される。これにより、給水装置６０の動作により洗浄水タンク３０に洗浄水が貯留される場合に、この貯留される洗浄水の一部が手洗い吐水管４２から吐出される。
また、手洗い部４０から排出される排水は、手洗い側排水管（不図示）を介して洗浄水タンク３０に排出される。
【００２１】
タンクカバー５０は、洗浄水タンク３０を覆うように、洗浄水タンク３０に被せられる。タンクカバー５０は、上部カバー部５１と、下部カバー部５２と、を有する。タンクカバー５０は、上部カバー部５１と下部カバー部５２とが、例えば、樹脂材料により一体的に成型されることで形成される。
【００２２】
上部カバー部５１は、手洗い部４０の手洗いボウル部４１を含んで構成される。上部カバー部５１は、タンクカバー５０の上部に配置され、タンクカバー５０の上部を塞ぐように形成される。
下部カバー部５２は、方形筒状に形成される。下部カバー部５２は、洗浄水タンク３０の周囲を囲むように形成される。
【００２３】
洗浄水タンク３０は、ベースプレート２０の上方において、便器１０の後方かつ上方に配置され、便器本体１１を洗浄する洗浄水を貯留する。この洗浄水タンク３０は、図２に示すように、上面が開口したタンク本体３１と、このタンク本体３１の上面に配置され、タンク本体３１の上面を覆う蓋部３２と、を備える。
【００２４】
タンク本体３１は、図２に示すように、上面が開口して形成され、底部３１１と、底部３１１から起立して周囲を囲むように形成される周壁３１２と、を備える。
【００２５】
底部３１１には、洗浄水タンク３０に貯留された洗浄水を便器１０に放出する放出口（排出口）３１３が形成される。放出口３１３は、洗浄水供給管３３に連通する開口である。洗浄水供給管３３には、便器１０に供給される洗浄水が流通する。洗浄水供給管３３は、洗浄水タンク３０に貯留された洗浄水を、便器１０に供給する。
【００２６】
放出口３１３には、図２に示すように、排水弁（開閉弁）３１４が配置される。排水弁３１４は、洗浄水タンク３０の放出口３１３を開閉する。
排水弁３１４は、内部に形成される空気室３１４ａと、空気抜き弁３１４ｂと、を備える。空気抜き弁３１４ｂは、排水弁３１４の上部の略中央に設けられる。空気抜き弁３１４ｂは、空気室３１４ａを開閉可能に構成される。
【００２７】
本実施形態においては、後述するように、大量の洗浄水で便器１０の洗浄を行う大洗浄モードと、小量の洗浄水で便器１０の洗浄を行う小洗浄モードと、を実行可能である。
空気抜き弁３１４ｂを閉状態として空気室３１４ａに空気を保持させた状態で、排水弁３１４を開状態にすることで大洗浄モードによる洗浄を実行することができる。空気抜き弁３１４ｂを開状態として空気室３１４ａに水を流入させた状態で、排水弁３１４を開状態にすることで小洗浄モードによる洗浄を実行することができる。
【００２８】
排水弁３１４には、図２に示すように、第１電動洗浄用取付部３１５ａと、第２電動洗浄用取付部３１５ｂと、手動洗浄用取付部３１５ｃと、が設けられる。
ここで、本実施形態においては、便器洗浄装置１００及び洗浄水タンク３０を正面から視た場合の左右方向の左側（一方側）を「左側」といい（図２の紙面の左側）、便器洗浄装置１００を正面から視た場合の左右方向の右側（他方側）を「右側」という（図２の紙面の右側）。
【００２９】
第１電動洗浄用取付部３１５ａは、電動洗浄で大洗浄モードを実行する場合に引き上げられる第１玉鎖１１３が取り付けられる部分である。第１電動洗浄用取付部３１５ａは、排水弁３１４の上面の右側の端部側に配置される。
第２電動洗浄用取付部３１５ｂは、電動洗浄で小洗浄が実行される場合に引き上げられる第２玉鎖１１４が取り付けられる部分である。第２電動洗浄用取付部３１５ｂは、排水弁３１４の上部に設けられた空気抜き弁３１４ｂの上面に配置される。
手動洗浄用取付部３１５ｃは、手動洗浄が実行される場合に引き上げられる第３玉鎖１２２が取り付けられる部分である。手動洗浄用取付部３１５ｃは、排水弁３１４の上面の左側の端部側に配置される。
【００３０】
洗浄水タンク３０には、洗浄動作機構が設けられる。洗浄動作機構は、電動洗浄装置１１０と、手動洗浄装置１２０と、を備える。
電動洗浄装置１１０は、便器本体１１の洗浄を電動で行う装置である。図２〜図６に示すように、電動洗浄装置１１０は、洗浄水タンク３０の内部の右側に配置される。電動洗浄装置１１０は、図２及び図５に示すように、駆動部としての電動式のアクチュエータ１１１と、アクチュエータ１１１に接続される電動用軸部材（他方側軸部材）１１２と、延長軸部材１１５（他方側軸部材）と、第１玉鎖（他方側接続部材）１１３と、第２玉鎖（他方側接続部材）１１４と、を有する。
【００３１】
電動用軸部材１１２は、洗浄水タンク３０の内部の右側の上方において、アクチュエータ１１１から左側に水平方向に延びるように配置される。電動用軸部材１１２は、アクチュエータ１１１に接続されている。電動用軸部材１１２は、アクチュエータ１１１の駆動力により回転する。
延長軸部材１１５は、洗浄水タンク３０の内部の右側の上方において、アクチュエータ１１１から右側に水平方向に延びるように配置される。延長軸部材１１５は、アクチュエータ１１１を挟んで、電動用軸部材１１２と同軸上に配置される。延長軸部材１１５は、電動用軸部材１１２と一体的に回転可能に構成される。つまり、延長軸部材１１５を回転させると、電動用軸部材１１２も回転する。
【００３２】
第１玉鎖１１３は、大洗浄用の玉鎖である。第１玉鎖１１３は、電動用軸部材１１２と排水弁３１４とを接続する。第１玉鎖１１３の一端は、電動用軸部材１１２に接続される。第１玉鎖１１３の他端は、排水弁３１４の第１電動洗浄用取付部３１５ａに接続される。
第２玉鎖１１４は、小洗浄用の玉鎖である。第２玉鎖１１４は、電動用軸部材１１２と排水弁３１４とを接続する。第２玉鎖１１４の一端は、電動用軸部材１１２に接続される。第２玉鎖１１４の他端は、排水弁３１４の第２電動洗浄用取付部３１５ｂに接続される。
【００３３】
電動洗浄装置１１０は、例えば、リモコン操作部（図示せず）を操作することで、大量の洗浄水で便器１０の洗浄を行う大洗浄モードと、小量の洗浄水で便器１０の洗浄を行う小洗浄モードと、を操作することができる。具体的には、リモコン操作部を操作することで、図２に示すように、電動式のアクチュエータ１１１を動作させて、電動用軸部材１１２を回転させる。電動用軸部材１１２の回転方向の違いにより引き上げられる玉鎖が異なる。例えば、大洗浄モードが実行された場合には、電動用軸部材１１２が反時計方向に回転されて、第１玉鎖１１３が吊り上げられて、排水弁３１４が引き上げられる。小洗浄モードが実行された場合には、電動用軸部材１１２が時計方向に回転されて、第２玉鎖１１４が吊り上げられて、空気抜き弁３１４ｂが引き上げられた後に、排水弁３１４が引き上げられる。
【００３４】
手動洗浄装置１２０は、便器本体１１の洗浄を手動で行う（操作する）装置である。手動洗浄装置１２０は、図２及び図５に示すように、洗浄水タンク３０の内部の左側に配置される。手動洗浄装置１２０は、手動用軸部材（一方側軸部材）１２１と、第３玉鎖（一方側接続部材）１２２と、手動洗浄用フロート１２３と、筒体１２４と、手動操作用の洗浄操作レバーハンドル８１と、を有する。
【００３５】
手動用軸部材１２１は、洗浄水タンク３０の内部の左側の上方において、水平方向に延びるように配置される。手動用軸部材１２１は、複数の部材が水平方向に連結されて形成される。手動用軸部材１２１は、洗浄水タンク３０の内部における給水装置６０が配置される部分の近傍において、便器洗浄装置１００の左右方向の略中央から左端まで、延びるように形成される。
【００３６】
第３玉鎖１２２は、手動洗浄用の玉鎖である。第３玉鎖１２２の一端は、手動用軸部材１２１に接続される。第３玉鎖１２２の他端は、排水弁３１４の手動洗浄用取付部３１５ｃに接続される。
【００３７】
手動洗浄用フロート１２３は、環状に形成され、環状の開口には、第３玉鎖１２２が挿通される。手動洗浄用フロート１２３は、洗浄水タンク３０に貯留された洗浄水の水位に応じて、第３玉鎖１２２に沿って上下方向にスライド移動が可能に構成される。
筒体１２４には、手動洗浄用フロート１２３と排水弁３１４との間に配置され、第３玉鎖１２２が挿通される。
洗浄操作レバーハンドル８１は、タンクカバー５０の左側の外側において、手動用軸部材１２１の左端に取り付けられる。
【００３８】
本実施形態においては、手動洗浄装置１２０は、大洗浄モードの洗浄のみを実行可能である。本実施形態の手動洗浄装置１２０においては、大洗浄の場合に所定の水量の洗浄水で洗浄が行われるように、排水弁３１４が開弁されると、手動洗浄用フロート１２３に作用する浮力を利用して、排水弁３１４の開弁状態を維持させて、排水時間を一定時間維持するように構成される。
【００３９】
洗浄水タンク３０の内部には、図３及び図４に示すように、給水装置６０が配置される。給水装置６０は、洗浄水タンク３０の左側（一方側）に配置される。給水装置６０は、給水管６９（図７及び図９参照）と、流動操作機構７０と、第１吐出部６２と、第２吐出部６３と、開弁遅延機構部６４と、を備える。
【００４０】
給水管６９（図７及び図９参照）は、外部の給水源（図示せず）から、洗浄水を洗浄水タンク３０の内部に給水する。給水管６９は、タンク本体３１の上方において、タンク本体３１の周壁３１２を貫通して、洗浄水タンク３０の外部と内部とを連通する。
【００４１】
第１吐出部６２及び第２吐出部６３（図２参照）は、給水管６９から分岐し、洗浄水タンク３０の内部に水を吐出する。具体的には、第１吐出部６２は、洗浄水タンク３０に貯留するための水を吐出する。第２吐出部６３は、洗浄水タンク３０の内部に配置されたオーバーフロー管９０に向けて水を吐出する。オーバーフロー管９０に吐出された水は、便器１０に補給水として供給される。
【００４２】
流動操作機構７０は、図２に示すように、給水管６９（図７及び図９参照）における給水弁装置６１が設けられる部分に接続される。流動操作機構７０は、開状態において少量の水を給水管６９に流通させる流動弁（図示せず）と、流動弁を開閉させる操作ケーブル７３と、この操作ケーブル７３を操作する操作ダイヤル部７１と、を備える。
【００４３】
操作ダイヤル部７１は、ベースプレート２０の下方に位置するように、取り付けられている。操作ダイヤル部７１は、後述する給水装置６０から洗浄水を洗浄水タンク３０に給水する給水流路部（図示せず）を流通する水の流れを調整する操作を行うことができる。
【００４４】
流動操作機構７０は、操作ダイヤル部７１を操作して流動弁（図示せず）を開状態にすることで、給水弁６１ａが閉状態の場合においても流動弁を介して少量の水を給水管６９に流通させる。これにより、例えば、寒冷地等の冬季に給水部の凍結のおそれがある地域において、少量の水を連続的に流通させられるので、給水装置６０の凍結を防げる。
【００４５】
開弁遅延機構部６４は、図３及び図４に示すように、タンク本体３１に設けられる。開弁遅延機構部６４は、給水弁６１ａを有する給水弁装置６１と、節水タンク６５と、フロート部材６６と、アーム部材としての操作アーム部材６７と、浮き閉止部材６８と、を備える。
【００４６】
給水弁装置６１は、図３〜図６に示すように、外形が略円筒形状（筒状）に形成され、所定方向に傾斜して延びる。給水弁装置６１は、図４に示すように、上端部が、手動洗浄装置１２０の前後方向における略中央の上部に配置される。給水弁装置６１は、下端部が手動洗浄装置１２０の背部側に位置するように、筒状部分の軸方向（高さ方向）が垂直方向に対して傾斜して配置される。
【００４７】
節水タンク６５は、図４に示すように、底部連通孔６５１ａが形成された底部６５１を有し、一方の側部の上方側の部分が側方に向けて開放し且つ上方が開放した方形筒状に形成される。
【００４８】
本実施形態においては、節水タンク６５は、図６〜図８に示すように、洗浄水タンク３０に取り付けられる。節水タンク６５の取付構造について説明する。
【００４９】
節水タンク６５は、図６〜図８に示すように、洗浄水タンク３０の背面側において、節水タンク６５の上端部から水平方向の外方に延出する節水タンクフランジ部６５３を有する。
節水タンクフランジ部６５３は、図６及び図８に示すように、第１取付ネジ３０１が挿通される取付穴６５３ａと、位置決め穴６５３ｂと、を有する。
【００５０】
洗浄水タンク３０の蓋部３２は、図７及び図８に示すように、洗浄水タンク３０の背面側において、蓋部３２の下端部から水平方向の外方に延出する蓋フランジ部３２１を有する。
蓋フランジ部３２１は、図８に示すように、第２取付ネジ３０２が挿通される蓋部取付穴３２１ａを有する。
【００５１】
洗浄水タンク３０のタンク本体３１は、図７及び図８に示すように、洗浄水タンク３０の背面側において、タンク本体３１の上端部から水平方向の外方に延出するタンク本体フランジ部３１６を有する。
タンク本体フランジ部３１６は、図６及び図８に示すように、第１取付ネジ３０１が螺合される第１ネジ孔３１６ａと、第２取付ネジ３０２が螺合される第２ネジ孔３１６ｂが形成された位置決めボス部３１６ｃと、を有する。
【００５２】
位置決めボス部３１６ｃは、タンク本体フランジ部３１６の上面から蓋フランジ部３２１側に延出する。位置決めボス部３１６ｃの上端部は、蓋フランジ部３２１の下面に当接する。位置決めボス部３１６ｃは、節水タンクフランジ部６５３の位置決め穴６５３ｂに挿通される。位置決めボス部３１６ｃは筒状に形成され、蓋フランジ部３２１側が開口している。位置決めボス部３１６ｃの内部の穴は、第２取付ネジ３０２が螺合される第２ネジ孔３１６ｂを構成する。
【００５３】
以上のように構成される節水タンク６５の取付構造においては、節水タンク６５は、図８に示すように、洗浄水タンク３０に取り付けられる。節水タンク６５を洗浄水タンク３０に取り付ける方法について説明する。
【００５４】
まず、節水タンク６５が洗浄水タンク３０に取り付けられていない状態において、節水タンク６５をタンク本体３１に取り付ける。具体的には、タンク本体フランジ部３１６の位置決めボス部３１６ｃに、節水タンクフランジ部６５３の位置決め穴６５３ｂを挿通する。これにより、節水タンク６５の節水タンクフランジ部６５３は、タンク本体３１のタンク本体フランジ部３１６に対して位置決めされる。
【００５５】
そして、節水タンクフランジ部６５３の取付穴６５３ａとタンク本体フランジ部３１６の第１ネジ孔３１６ａとを重ねた状態で、第１取付ネジ３０１を、節水タンクフランジ部６５３の取付穴６５３ａに挿通して、第１ネジ孔３１６ａに螺合させる。これにより、節水タンク６５は、洗浄水タンク３０のタンク本体３１に取り付けられる。
【００５６】
次に、洗浄水タンク３０の蓋部３２を、節水タンク６５が取り付けられたタンク本体３１に取り付ける。具体的には、タンク本体３１の第２ネジ孔３１６ｂと蓋フランジ部３２１の蓋部取付穴３２１ａとを重ねた状態で、第２取付ネジ３０２を、蓋フランジ部３２１の蓋部取付穴３２１ａに挿通して、位置決めボス部３１６ｃの内部に形成された第２ネジ孔３１６ｂに螺合させる。これにより、蓋部３２は、タンク本体３１に取り付けられる。
【００５７】
以上の節水タンク６５の取付構造によれば、節水タンク６５を第１取付ネジ３０１でタンク本体３１に固定できるため、洗浄水タンク３０に貯留される洗浄水の上下方向の水位の変動が低減される。これにより、洗浄水タンク３０に貯留される洗浄水の貯水量が安定する。
また、蓋部３２を第２取付ネジ３０２でタンク本体３１に固定できるため、洗浄水タンク３０の変形が低減される。これにより、洗浄水タンク３０に貯留される洗浄水の貯水量が安定する。
また、蓋部３２をタンク本体３１から取り外しても、節水タンク６５は、タンク本体３１に固定されている。そのため、メンテナンス等で蓋部３２をタンク本体３１から取り外した状態でも、節水タンク６５を取り外さないでよいため、節水タンク６５の取り外し作業や取り付け作業を必要とせず、煩雑な作業を低減できると共に、節水タンク６５の取付位置のズレや変形を低減できる。
【００５８】
節水タンク６５の内部には、洗浄水が貯留される。節水タンク６５の内部には、フロート部材６６のフロート部６６１が配置される。節水タンク６５に貯留された洗浄水の水位が上下することに連動して、フロート部材６６は、上下方向に移動する。
【００５９】
浮き閉止部材６８は、図４に示すように、節水タンク６５の底部連通孔６５１ａに配置される。浮き閉止部材６８は、浮力を有しており、洗浄水タンク３０に貯留される洗浄水の水位に連動して上下方向に移動する。洗浄水タンク３０に貯留される洗浄水の水位が節水タンク６５の底部６５１の高さよりも高い場合には、浮き閉止部材６８が浮力により浮き上がって、節水タンク６５の底部連通孔６５１ａ（図４参照）が浮き閉止部材６８により閉止される。洗浄水タンク３０に貯留される洗浄水の水位が節水タンク６５の底部６５１の高さよりも低い場合には、浮き閉止部材６８が下降して、底部連通孔６５１ａと浮き閉止部材６８との間に隙間が形成される。
【００６０】
フロート部材６６は、節水タンク６５に貯留された洗浄水の水位に連動して上下方向に移動する。節水タンク６５に貯留された洗浄水は、洗浄水タンク３０の内部に貯留される洗浄水の水位に連動して上下方向に移動する。そのため、フロート部材６６は、洗浄水タンク３０の内部に貯留される洗浄水の水位に連動して上下方向に移動する。フロート部材６６は、フロート部６６１と、フロート側アーム部６６２と、を有する。
【００６１】
フロート部６６１は、節水タンク６５の内部に配置される。フロート部６６１は、上部が閉鎖されかつ下部が開放する方形箱状に形成される。
フロート側アーム部６６２は、フロート部６６１の上部に接続される。フロート側アーム部６６２は、上下方向に延びる。
【００６２】
操作アーム部材６７は、給水弁装置６１とフロート部材６６とを接続する。操作アーム部材６７は、基端側が給水弁装置６１の下部に接続され、先端側がフロート部材６６のフロート側アーム部６６２に係合されている。
【００６３】
操作アーム部材６７は、図４に示すように、略Ｕ字状に形成されるＵ字状部分６７１と、Ｕ字状部分６７１に接続される直線状部分６７２と、を有する。Ｕ字状部分６７１は、給水弁装置６１の下端部から便器洗浄装置１００の背部側に向かい中央側に向かう略Ｕ字状に形成される。直線状部分６７２は、Ｕ字状部分６７１の給水弁装置６１とは反対側の端部に接続され、上方側に向かうように傾斜して、フロート部材６６のフロート側アーム部６６２の上端側の貫通穴まで延びる。
【００６４】
操作アーム部材６７は、フロート側アーム部６６２が延びる上下方向に交差する方向に延びて形成される。操作アーム部材６７は、先端部側が、フロート側アーム部６６２の上端側の貫通穴に挿入されることで、図３及び図４に示すように、フロート側アーム部６６２に係合可能に構成される。操作アーム部材６７は、フロート部材６６の上下方向の移動に連動して移動する。
【００６５】
以上の開弁遅延機構部６４によれば、洗浄水タンク３０に貯留された洗浄水の水位に応じて、給水弁６１ａの開閉を操作して、給水管６９（図７及び図９参照）から洗浄水タンク３０へ流入する洗浄水の給水を開始又は停止させる。具体的には、フロート部材６６が節水タンク６５の内部の所定位置より下方に移動することで、操作アーム部材６７が揺動されて、給水弁６１ａが開状態となり、洗浄水タンク３０への給水が行われる。また、フロート部材６６が節水タンク６５の内部において所定位置より上方に移動することで、操作アーム部材６７が揺動されて、給水弁６１ａが閉状態となり、洗浄水タンク３０への給水が停止される。
【００６６】
オーバーフロー管９０は、洗浄水タンク３０の内部に配置される。
洗浄水タンク３０のタンク本体３１の内部には、図２に示すように、オーバーフロー管９０が設けられている。オーバーフロー管９０は、上部に開口部９１を有する。開口部９１は、オーバーフロー管９０の上端には、洗浄水タンク３０に貯留される洗浄水の水位の上限に合わせた高さで開口する。
【００６７】
ここで、電動洗浄装置１１０及び手動洗浄装置１２０の取付構造について、図６及び図９を参照しながら説明する。
電動洗浄装置１１０のアクチュエータ１１１は、図９に示すように、アクチュエータ支持部材３４に取り付けられることにより、洗浄水タンク３０に取り付けられる。
アクチュエータ支持部材３４は、洗浄水タンク３０のタンク本体３１の上部において、便器洗浄装置１００の前後方向に亘って配置される。アクチュエータ支持部材３４は、洗浄水タンク３０の前後の壁部に掛け渡された状態で、洗浄水タンク３０に取り付けられている。アクチュエータ支持部材３４は、便器洗浄装置１００の左右方向に貫通する貫通孔３４１を有する。
【００６８】
アクチュエータ１１１をアクチュエータ支持部材３４に取り付ける場合には、図９に示すように、洗浄水タンク３０に取り付けられたアクチュエータ支持部材３４の左側から延長軸部材１１５を貫通孔３４１に挿通して、アクチュエータ１１１をアクチュエータ支持部材３４に載置して固定する。このように、簡単な作業で、アクチュエータ１１１をアクチュエータ支持部材３４に取り付けることができる。
【００６９】
また、図９に示すように、電動洗浄装置１１０及び手動洗浄装置１２０において、電動用軸部材１１２及び手動用軸部材１２１の外方側の端部には、それぞれ、レバーハンドル取付片８２が接続されている。レバーハンドル取付片８２は、電動用軸部材１１２及び手動用軸部材１２１の軸方向に直交する方向に延びるように形成される。レバーハンドル取付片８２には、洗浄操作レバーハンドル８１を接触させて配置可能である。洗浄操作レバーハンドル８１をレバーハンドル取付片８２に接触させて配置した状態で洗浄操作レバーハンドル８１を操作することで、レバーハンドル取付片８２を介して、手動用軸部材１２１が回転されて、洗浄の動作が実行される。
【００７０】
例えば、本実施形態のように左側に手動操作用の洗浄操作レバーハンドル８１を設ける場合には、図９に示すように、手動洗浄装置１２０の手動用軸部材１２１にレバーハンドル取付片８２を接続した後に、手動操作用の洗浄操作レバーハンドル８１を、左側のレバーハンドル取付片８２に接触させて配置する。具体的には、手動操作用の洗浄操作レバーハンドル８１を、洗浄水タンク３０の左側の側方から手動洗浄装置１２０の手動用軸部材１２１の軸方向に移動させて、洗浄操作レバーハンドル８１に設けられた二股部材８１１をレバーハンドル取付片８２に接触させることで、図５に示すように、洗浄操作レバーハンドル８１を手動用軸部材１２１に取り付けることができる。
なお、本実施形態においては、レバーハンドル取付片８２を、電動洗浄装置１１０の延長軸部材１１５の右側にも接続しており、洗浄水タンク３０の右側にも洗浄操作レバーハンドル８１を取り付けることが可能な構成となっている。
【００７１】
また、手動洗浄装置１２０は、図６及び図９に示すように、節水タンク６５の側壁６５４の上部において、手動用軸部材１２１が節水タンク６５の側壁６５４を貫通した状態で取り付けられている。つまり、手動洗浄装置１２０の手動用軸部材１２１は、給水装置６０に取り付けられている。
【００７２】
次に、本実施形態に係る便器洗浄装置１００の動作について、洗浄水タンク３０に貯留された洗浄水を便器１０に放出（供給）する動作について説明する。
洗浄水タンク３０に洗浄水が貯留された状態で、例えば、リモコン操作部（図示せず）を操作することで、電動洗浄装置１１０は、大洗浄モード又は小洗浄モードを実行するように操作する。
【００７３】
例えば、大洗浄モードが実行された場合には、電動式のアクチュエータ１１１（図２参照）の駆動により、電動用軸部材１１２が反時計方向に回転することで、第１玉鎖１１３を吊り上げて、排水弁３１４を引き上げる。そのため、排水弁３１４は、放出口３１３を、大洗浄モードで設定した所定時間開放する。これにより、洗浄水タンク３０に貯留された洗浄水は、放出口３１３を介して便器１０に放出される。そして、洗浄水タンク３０に貯留される洗浄水の水位は下降する。
【００７４】
また、例えば、小洗浄モードが実行された場合には、電動式のアクチュエータ１１１（図２参照）の駆動により、電動用軸部材１１２が時計方向に回転することで、第２玉鎖１１４を介して、空気抜き弁３１４ｂを引き上げる。そして、空気室３１４ａに洗浄水を流入させる。その後、排水弁３１４を引き上げる。これにより、排水弁３１４が洗浄水の重さにより大洗浄モードで設定した所定時間よりも早く閉じる。よって、排水弁３１４は、放出口３１３を、大洗浄モードで設定した所定時間よりも短い時間開放する。これにより、洗浄水タンク３０に貯留された洗浄水は、放出口３１３を介して便器１０に放出される。そして、洗浄水タンク３０に貯留される洗浄水の水位は下降する。
【００７５】
これにより、洗浄水タンクに貯留された洗浄水は下降していく。洗浄水の水位は、節水タンク６５の開放側の上端部６５２までは、節水タンク６５の内部及び外部において、同じ高さで下降する。
【００７６】
洗浄水の水位が節水タンク６５の開放側の上端部６５２から節水タンク６５の底部６５１までの間においては、節水タンク６５の底部連通孔６５１ａは、浮き閉止部材６８が浮力により上昇することで、浮き閉止部材６８により閉止されている。そのため、節水タンク６５の内部に貯留された洗浄水は、節水タンク６５の上端部の高さの水位で維持される。フロート部材６６は、洗浄水に浮いた状態であり、上下方向の位置が維持されている。
【００７７】
洗浄水の水位が節水タンク６５の底部６５１よりも低くなると、浮き閉止部材６８は、洗浄水の水位の低下と共に下降する。これにより、節水タンク６５の底部連通孔６５１ａと浮き閉止部材６８との間には、隙間が形成される。そして、この隙間から、節水タンク６５の内部の洗浄水は、節水タンク６５の外部へ流れ出る。これにより、節水タンク６５の内部の洗浄水の水位が下降して、フロート部材６６が下降する。
【００７８】
フロート部材６６が下降すると、フロート側アーム部６６２に連結された操作アーム部材６７は揺動する。そして、フロート部材６６が節水タンク６５の内部の所定位置よりも下方に下降すると、給水弁６１ａを閉状態から開状態に作動させて、給水管６９（図７及び図９参照）は、洗浄水タンク３０へ洗浄水の給水を行う。
【００７９】
これにより、洗浄水タンク３０に貯留された洗浄水を放出口３１３を介して便器１０へ放出している間、洗浄水タンク３０には、給水管６９（図７及び図９参照）から新たな洗浄水が給水される。ここでは、洗浄水タンク３０に新たに給水された洗浄水についても、放出口３１３を介して便器１０へ放出される。
【００８０】
このように、排水弁３１４を開状態とした後において、給水弁６１ａを開状態とするまでの時間を遅延させることで、排水弁３１４を開状態とすると同時に給水弁６１ａを開状態とするよりも、便器１０へ放出（供給）する水を節水することができる。
【００８１】
その後、排水弁３１４が閉状態となることで、放出口３１３が閉じられ、洗浄水タンク３０の内部に貯留された洗浄水の便器１０への放出は停止する。
【００８２】
その後、給水管６９（図７及び図９参照）から洗浄水が供給される。洗浄水タンク３０の内部には、洗浄水が貯留されていく。そして、洗浄水タンク３０に貯留された洗浄水の水位は、徐々に上昇する。洗浄水の水位が節水タンク６５の底部６５１に達すると、浮き閉止部材６８が浮力により上昇して、底部連通孔６５１ａは、浮き閉止部材６８により閉止される。これにより、節水タンク６５の内部に洗浄水が入らない状態で、洗浄水タンク３０における洗浄水の水位は上昇していく。
【００８３】
洗浄水の水位が節水タンク６５の開放側の上端部６５２まで上昇すると、節水タンク６５の内部には、洗浄水が流れ込む。そして、節水タンク６５の内部に貯留された洗浄水の水位は上昇する。これにより、節水タンク６５の内部に配置されたフロート部材６６は、節水タンク６５の底部６５１から上昇していく。そして、フロート部材６６の上方への移動により操作アーム部材６７が連動して上方へ揺動されることにより、給水弁６１ａは、開状態から閉状態に作動される。これにより、給水管６９（図７及び図９参照）による洗浄水タンク３０への給水が停止する。
【００８４】
なお、洗浄操作レバーハンドル８１を操作することにより洗浄の動作が実行された場合には、手動洗浄装置１２０において、大洗浄モードの洗浄が実行される。
手動洗浄装置１２０においては、大洗浄の場合に所定の水量の洗浄水で洗浄が行われるように、排水弁３１４が開弁されると、手動洗浄用フロート１２３に作用する浮力を利用して、排水弁３１４の開弁状態を維持させて、排水時間を一定時間維持するように構成される。これにより、洗浄水タンク３０に貯留された洗浄水は、放出口３１３を介して便器１０に放出される。そして、洗浄水タンク３０に貯留される洗浄水の水位は下降する。
これ以降の手動洗浄装置１２０における洗浄動作は、電動洗浄装置１１０における洗浄動作と同様であるため、その説明を援用して、説明を省略する。
【００８５】
以上説明した本実施形態の便器洗浄装置１００によれば、以下のような効果を奏する。
本実施形態の便器洗浄装置１００においては、洗浄水タンク３０の放出口３１３を開閉する排水弁３１４と、洗浄水タンク３０の左側（一方側）に配置され、洗浄水タンク３０に洗浄水を供給する給水装置６０と、洗浄水タンク３０の右側（他方側）に配置され、アクチュエータ１１１と、アクチュエータ１１１に接続される他方側軸部材１１２と、を有し、便器本体１１の洗浄を電動で行う電動洗浄装置１１０と、洗浄水タンク３０の左側（一方側）に配置され、便器本体１１の洗浄を手動で操作する洗浄操作レバーハンドル８１を取り付け可能な手動用軸部材１２１と、手動用軸部材１２１と排水弁３１４とを接続する第３玉鎖１２２と、電動用軸部材１１２と排水弁３１４とを接続する第１玉鎖１１３，第２玉鎖１１４と、を備える。
【００８６】
そのため、洗浄水タンク３０において、給水装置６０が配置されている側に、手動用軸部材１２１を配置することができる。これにより、給水装置６０と同じ側に手動操作用の洗浄操作レバーハンドル８１を取り付けることができる。
【００８７】
また、本実施形態においては、手動用軸部材１２１は、給水装置６０に取り付けられる。そのため、手動用軸部材１２１を取り付けるための別の部材を設ける必要がないため、洗浄水タンク３０の内部の省スペース化を実現できる。
【００８８】
また、本実施形態においては、電動用軸部材１１２には、便器本体１１の洗浄を手動で操作する手動洗浄操作部８１を取り付け可能である。そのため、給水装置６０と同じ側に手動操作用の洗浄操作レバーハンドル８１を取り付けることが可能な構成において、給水装置６０と反対側に、手動操作用の洗浄操作レバーハンドル８１を取り付けることができる。これにより、便器洗浄装置１００の設置の自由度が向上する。例えば、便器洗浄装置１００を設置する際に、洗浄水タンク３０の左側又は右側のいずれかに、手動操作用の洗浄操作レバーハンドル８１を配置できない構造物が存在しても、その構造物が存在しない左側又は右側に手動操作用の洗浄操作レバーハンドル８１を配置することができる。
【００８９】
また、本実施形態においては、給水装置６０は、給水弁６１ａを有する筒状の給水弁装置６１と、基端側が給水弁装置６１に接続される操作アーム部材６７と、操作アーム部材６７の先端側に係合するフロート部材６６と、を有し、給水弁装置６１は、筒状の給水弁装置６１の軸方向（高さ方向）が垂直方向に対して傾斜して配置される。
そのため、洗浄水タンク３０の内部の限られた空間を利用して、操作アーム部材６７の長さを所定長さに確保して、操作アーム部材６７の先端部までの距離を長くすることで少ない駆動力でも安定してフロート部材６６を持ち上げることができる。これにより、省スペース化を実現しつつ、給水装置６０から供給される洗浄水の圧力が強い場合にも、安定してフロート部材６６を持ち上げることができる。
【００９０】
以上、本発明の便器洗浄装置１００の好ましい一実施形態について説明したが、本発明は、上述した実施形態に制限されるものではなく、適宜変更が可能である。
例えば、前記実施形態においては、手動操作用の洗浄操作レバーハンドル８１を洗浄水タンク３０（便器洗浄装置１００）の左側に設けたが、これに限らない。手動操作用の洗浄操作レバーハンドル８１を洗浄水タンク３０（便器洗浄装置１００）の右側に設けてもよい。
【００９１】
前記実施形態においては、図２に示すように、洗浄水タンク３０の右側には、電動洗浄装置１１０が設けられている。電動洗浄装置１１０は、電動式のアクチュエータ１１１に接続される電動用軸部材１１２の他に、電動用軸部材１１２と同軸上に配置される延長軸部材１１５を有する。延長軸部材１１５は、電動用軸部材１１２と一体的に回転可能に構成される。ここで、図１０に示すように、便器洗浄装置１００の右側において、延長軸部材１１５の右側に、右側用の手動操作用の洗浄操作レバーハンドル８１を設けてもよい。この場合には、右側用の手動操作用の洗浄操作レバーハンドル８１を操作することで、延長軸部材１１５及び電動用軸部材１１２が一体的に回転されるため、電動式のアクチュエータ１１１で動作する場合と同様に、手動の操作で、大洗浄モード及び小洗浄モードにおける洗浄動作を行うことができる。
【符号の説明】
【００９２】
１１  便器本体
３０  洗浄水タンク
６０  給水装置
６１  給水弁装置
６１ａ  給水弁
６６  フロート部材
６７  操作アーム部材（アーム部材）
８１  手動操作用の洗浄操作レバーハンドル（手動洗浄操作部）
１１２  電動用軸部材（他方側軸部材）
１１３  第１玉鎖（他方側接続部材）
１１４  第２玉鎖（他方側接続部材）
１１５  延長軸部材（他方側軸部材）
１２０  電動洗浄装置
１２１  手動用軸部材（一方側軸部材）
１２２  第３玉鎖（一方側接続部材）
３１３  放出口（排水口）
３１４  排水弁（開閉弁）
【図１】
2017014859.tif 000003
【図２】
2017014859.tif 000004
【図３】
2017014859.tif 000005
【図４】
2017014859.tif 000006
【図５】
2017014859.tif 000007
【図６】
2017014859.tif 000008
【図７】
2017014859.tif 000009
【図８】
2017014859.tif 000010
【図９】
2017014859.tif 000011
【図１０】
2017014859.tif 000012